(57)【要約】  本発明は、受信インターフェースと、当該受信インターフェースに接続されたマイクロコントローラと、マイクロコントローラによって制御される共振装置とを有している遠隔制御可能なバイブレータに関する。受信インターフェースはＢｌｕｅｔｏｏｔｈインターフェースのことであり、当該Ｂｌｕｅｔｏｏｔｈインターフェースはバイブレータと、外部Ｂｌｕｅｔｏｏｔｈ機器との間の双方向無線信号伝送のために設けられている。バイブレータは、自身のＢｌｕｅｔｏｏｔｈインターフェースを介して遠隔制御および遠隔プログラミングされる。さらに本発明は、バイブレータを遠隔制御するための装置に関する。当該装置は、Ｂｌｕｅｔｏｏｔｈインターフェースが設けられたバイブレータと、第２のＢｌｕｅｔｏｏｔｈ機器を有している。ここで第２のＢｌｕｅｔｏｏｔｈ機器は、バイブレータに対する遠隔制御信号および／または遠隔プログラム信号を形成するために設けられている。
2005515028.tif 000002
【特許請求の範囲】
【請求項１】
遠隔制御可能なバイブレータであって、
受信インターフェースと、
当該受信インターフェースに接続されているマイクロコントローラと、
当該マイクロコントローラによって制御される共振装置とを有している形式のものにおいて、
前記受信インターフェース（１０）はＢｌｕｅｔｏｏｔｈインターフェースであって、
当該Ｂｌｕｅｔｏｏｔｈインターフェースは、バイブレータ（１）と、外部Ｂｌｕｅｔｏｏｔｈ機器（２０）との間の双方向無線信号伝送に適している、
ことを特徴とする、遠隔制御可能なバイブレータ。
【請求項２】
前記バイブレータは、Ｂｌｕｅｔｏｏｔｈインターフェースを介して遠隔制御可能である、請求項１記載の遠隔制御可能なバイブレータ。
【請求項３】
前記バイブレータは、Ｂｌｕｅｔｏｏｔｈインターフェースを介してプログラミン可能であるおよび／またはプログラミング変更可能である、請求項１または２記載の遠隔制御可能なバイブレータ。
【請求項４】
前記バイブレータは作動プログラムメモリ（６）を有しており、
当該作動プログラムメモリは、少なくとも１つのバイブレータ作動プログラムを格納するために設けられており、
マイクロコントローラ（２）が設けられており、外部Ｂｌｕｅｔｏｏｔｈ機器（２０）から供給された遠隔制御信号に反応して、前記作動プログラムメモリ（６）から作動プログラムを読み出し、共振装置（３, ４, ５）に対する属している制御信号を生成する、請求項１から３までのいずれか１項記載の遠隔制御可能なバイブレータ。
【請求項５】
複数のバイブレータ作動プログラムを格納する作動プログラムメモリ（６）が設けられており、前記マイクロコントローラ（２）は、外部Ｂｌｕｅｔｏｏｔｈ機器（２０）から供給された遠隔制御信号に反応して、複数の作動プログラムのうちの１つを、作動プログラムメモリ（６）から読み出す、請求項４記載の遠隔制御可能なバイブレータ。
【請求項６】
前記共振装置は３つの共振器を有しており、当該共振器の振動方向は相互に垂直である、請求項１から５までのいずれか１項記載の遠隔制御可能なバイブレータ。
【請求項７】
遠隔制御信号によって、前記共振装置（３, ４, ５）の振動の強さが制御可能である、請求項１から６までのいずれか１項記載の遠隔制御可能なバイブレータ。
【請求項８】
遠隔制御信号によって、前記共振装置の振動の持続時間が制御可能である、請求項１から７までのいずれか１項記載の遠隔制御可能なバイブレータ。
【請求項９】
前記作動プログラムメモリ（６）のプログラミングは、遠隔制御信号によって変えられる、請求項１から８までのいずれか１項記載の遠隔制御可能なバイブレータ。
【請求項１０】
前記バイブレータはマイク（８）を有しており、当該マイクから導出された信号は前記Ｂｌｕｅｔｏｏｔｈインターフェース（１０）に供給される、請求項１から９までのいずれか１項記載の遠隔制御可能なバイブレータ。
【請求項１１】
前記バイブレータはスピーカー（９）を有しており、当該スピーカーによって、バイブレータのオーディオ信号メモリ（７）内に格納されている信号および前記Ｂｌｕｅｔｏｏｔｈインターフェース（１０）を介して受信されたオーディオ信号が再生される、請求項１から１０までのいずれか１項記載の遠隔制御可能なバイブレータ。
【請求項１２】
前記バイブレータは、接触なしに充電可能なバッテリー（１１）を有している、請求項１から１１までのいずれか１項記載の遠隔制御可能なバイブレータ。
【請求項１３】
前記バイブレータは、バイブレータを制御する許可を検査するための手段を有している、請求項１から１２までのいずれか１項記載の遠隔制御可能なバイブレータ。
【請求項１４】
バイブレータを遠隔制御するための装置であって、
当該装置は、Ｂｌｕｅｔｏｏｔｈインターフェース（１０）が設けられているバイブレータ（１）と、第２のＢｌｕｅｔｏｏｔｈ機器（２０）とを有しており、
当該第２のＢｌｕｅｔｏｏｔｈ機器（２０）は、前記バイブレータに対する遠隔制御信号および／または遠隔プログラム信号を生じさせるために設けられている、
ことを特徴とする、バイブレータを遠隔制御するための装置。
【請求項１５】
前記バイブレータ（１）は、共振装置（３, ４, ５）を有している、請求項１４記載の装置。
【請求項１６】
前記共振装置は３つの共振器を有しており、当該共振器の振動方向は相互に垂直である、請求項１５記載の装置。
【請求項１７】
前記バイブレータ（１）は作動プログラメモリ（６）を有している、請求項１４から１６までのいずれか１項記載の装置。
【請求項１８】
前記バイブレータ（１）はマイクロコントローラ（２）を有しており、
当該マイクロコントローラは、第２のＢｌｕｅｔｏｏｔｈ機器（２０）から供給された制御信号に反応して、作動プログラムメモリ（６）から作動プログラムを読み出し、共振装置（３, ４, ５）に対する属している制御信号を形成する、請求項１７記載の装置。
【請求項１９】
複数のバイブレータ作動プログラムを格納する作動プログラムメモリ（６）が設けられており、前記マイクロコントローラ（２）は、第２のＢｌｕｅｔｏｏｔｈ機器（２０）によって供給された制御信号に反応して、複数の作動プログラムのうちの１つを作動プログラムメモリ（６）から読み出す、請求項１７または１８記載の装置。
【請求項２０】
前記第２のＢｌｕｅｔｏｏｔｈ機器から供給された制御信号によって、前記共振装置の振動の強さが制御可能である、請求項１５から１９までのいずれか１項記載の装置。
【請求項２１】
前記第２のＢｌｕｅｔｏｏｔｈ機器から供給された制御信号によって、前記共振装置の振動の持続時間が変えられる、請求項１５から２０までのいずれか１項記載の装置。
【請求項２２】
前記第２のＢｌｕｅｔｏｏｔｈ機器から供給された制御信号によって、前記作動プログラムメモリのプログラミングが変えられる、請求項１５から２１までいずれか１項記載の装置。
【請求項２３】
前記バイブレータはマイク（８）を有しており、当該マイクから導出された信号は前記Ｂｌｕｅｔｏｏｔｈインターフェース（１０）に供給される、請求項１４から２２までのいずれか１項記載の装置。
【請求項２４】
前記バイブレータはスピーカー（９）を有しており、当該スピーカーによって、バイブレータのオーディオ信号メモリ（７）内に格納されている信号およびＢｌｕｅｔｏｏｔｈインターフェース（１０）を介して受信されたオーディオ信号が再生される、請求項１４から２３までのいずれか１項記載の装置。
【請求項２５】
前記バイブレータは、接触なしに充電可能なバッテリー（１１）を有している、請求項１４から２４までのいずれか１項記載の装置。
【請求項２６】
前記第２のＢｌｕｅｔｏｏｔｈ機器（２０）は携帯電話、パーソナルコンピュータ、遠隔操作器、ノートブック型パーソナルコンピュータ、またはオーガナイザーである、請求項１４から２５までのいずれか１項記載の装置。
【請求項２７】
前記装置は第３の機器（３０）を有しており、当該第３の機器は、無線または有線で前記第２のＢｌｕｅｔｏｏｔｈ機器（２０）と接続されており、
前記第３の機器（３０）は、前記バイブレータ（１）に対する遠隔制御信号を形成し、
当該遠隔制御信号は、前記第２のＢｌｕｅｔｏｏｔｈ機器（２０）を介して、前記バイブレータ（１）のＢｌｕｅｔｏｏｔｈインターフェース（１０）に伝送される、請求項１４から２６までのいずれか１項記載の装置。
【請求項２８】
前記第２のＢｌｕｅｔｏｏｔｈ機器（２０）は識別信号メモリ（２７）を有しており、当該識別信号メモリは、認可されている第３の機器に対する識別信号を格納するために設けられており、
前記第２のＢｌｕｅｔｏｏｔｈ機器（２０）は、制御信号が、認可された第３の機器（３０）から到来している場合にのみ、当該制御信号をバイブレータ（１）に転送する、請求項２７記載の装置。
【請求項２９】
前記バイブレータ（１）は、バイブレータを制御するための許可を検査する手段を有している、請求項２７記載の装置。
【請求項３０】
前記バイブレータは、人間の体から導出されたデータを検出するための測定手段を有しており、前記第２のＢｌｕｅｔｏｏｔｈ機器は当該データを信号に相応して再生するのに用いられる再生手段を有している、請求項１４から２９までのいずれか１項記載の装置。
【発明の詳細な説明】
【技術分野】
【０００１】
本発明は、受信インターフェースと、受信インターフェースに接続されたマイクロコントローラと、マイクロコントローラによって制御される共振装置とを有している遠隔制御可能なバイブレータに関する。
【０００２】
この種の遠隔制御可能なバイブレータは、既にＧＢ２３３１９２８Ａから公知である。この公知のバイブレータでは、バイブレータにそれぞれ割り当てられた電話番号を選択することによって無線信号が送信される。この無線信号は、無線伝送区間を介してバイブレータに伝送される。バイブレータはマイクロチップを有しており、このマイクロチップは、上述の無線信号に反応して共振器をアクティブにする。共振器がアクティブである持続時間は予め定められており、事前にユーザによってバイブレータの操作ユニットを用いて入力されている。
【０００３】
さらにＤＥ２０１１０２９８Ｕ１から、音響的な張形が公知である。これはメロディーを記憶する手段と、このメロディーを再生する小型スピーカーを有している。
【０００４】
本発明の課題は、バイブレータの操作性を改善することである。
【０００５】
上述の課題は、受信インターフェースと、受信インターフェースに接続されたマイクロコントローラと、マイクロコントローラによって制御される共振装置とを有している形式のものにおいて、受信インターフェースはＢｌｕｅｔｏｏｔｈインターフェースであって、Ｂｌｕｅｔｏｏｔｈインターフェースは、バイブレータと外部Ｂｌｕｅｔｏｏｔｈ機器との間の双方向無線信号伝送に適している、ことを特徴とする遠隔制御可能なバイブレータによって解決される。本発明の有利な構成および発展形態は従属請求項２〜１２項に記載されている。請求項１３〜２７は、バイブレータを遠隔制御するための装置に関する。
【０００６】
本発明の利点は特に、バイブレータを遠隔制御でアクティブ化することができるということだけでなく、バイブレータに供給される遠隔制御信号によってバイブレータの作動様式を多様に制御することができるということである。例えばバイブレータには、自身のＢｌｕｅｔｏｏｔｈインターフェースを介して、振動の強さを所期のように変える制御命令および、振動の持続時間に影響を与える制御命令が供給される。さらにバイブレータには、自身のＢｌｕｅｔｏｏｔｈインターフェースを介して遠隔プログラム命令が供給される。これはバイブレータのプログラミングまたはプログラミング変更に用いられる。さらに、Ｂｌｕｅｔｏｏｔｈインターフェースを介して双方向信号伝送を行うことが可能である。
【０００７】
本発明の有利な実施形態では、複数の作動プログラムがバイブレータの作動プログラムメモリ内に格納され、これらの作動プログラムのうちの１つが、Ｂｌｕｅｔｏｏｔｈインターフェースを介してバイブレータに供給された制御命令によって選択される。
【０００８】
バイブレータ内に、振動方向が相互に垂直である３つの共振器が設けられている場合、自身のＢｌｕｅｔｏｏｔｈインターフェースを介してバイブレータに供給される遠隔制御命令によって１つまたは複数の共振器が所期のように（例えば振動を強化する意図でおよび／または振動の持続時間に影響を与える意図で）駆動制御されることによって、バイブレータの振動特性が多面的に影響される。
【０００９】
本発明のさらなる利点は、バイブレータのＢｌｕｅｔｏｏｔｈインターフェースを介して、双方向の信号伝送のために、応答信号ないし肯定応答信号が第２のＢｌｕｅｔｏｏｔｈ機器に伝送できるということである。これは例えば、バイブレータのマイクによって録音された信号であってもよいし、バイブレータのオーディオ信号メモリ（Tonsignalspeicher）から導き出された信号であってもよいし、バイブレータのマイクロコントローラによって形成された信号であってもよい。第２のＢｌｕｅｔｏｏｔｈ機器が携帯電話である場合、応答信号は場合によっては自身のスピーカーを介して再生可能である。
【００１０】
本発明のさらなる利点は、第３の機器、例えば別の携帯電話内でバイブレータに対する制御信号を生成することができ、第２のＢｌｕｅｔｏｏｔｈ機器（場合によっては携帯電話である）に無線電話接続を介して供給することができることである。第２のＢｌｕｅｔｏｏｔｈ機器にはメモリが設けられており、このメモリ内には許可されている１つまたは複数の第３の機器に対する識別信号が格納されている。第２のＢｌｕｅｔｏｏｔｈ機器は、得られた信号が許可されている第３の機器から来ているか否かを検査し、許可されている第３の機器から信号が来ている場合にのみ、得られた信号をＢｌｕｅｔｏｏｔｈ接続部を介してバイブレータに転送する。
【００１１】
本発明のさらなる有利な特性は、後続する実施例の説明において図面に基づいて記載されている。この図面は、本発明を理解するのに必要な、バイブレータの構成部分ないしはバイブレータを遠隔制御する装置の構成部分が示されているブロック回路図である。
【００１２】
バイブレータ１は、中央制御要素としてマイクロコントローラ２を有している。マイクロコントローラは共振装置に対する制御信号を生成する。この共振装置には共振器３, ４, ５が属している。これらの共振器の振動方向は、相互に垂直に位置している。各共振器は、マイクロコントローラ２と別個に駆動制御されるので、各共振器に対して振動の強さおよび持続時間が個々に制御可能である。
【００１３】
さらに、図示されたバイブレータ１は作動プログラムメモリ６と、オーディオ信号メモリ７を有する。作動プログラムメモリ内には１つまたは複数のバイブレータ作動プログラムが格納されている。さらにバイブレータ１にはマイク８、スピーカー９、Ｂｌｕｅｔｏｏｔｈインターフェース１０、バッテリー１１、第１のＢｌｕｅｔｏｏｔｈ識別番号メモリ１２ａおよび第２のＢｌｕｅｔｏｏｔｈ識別番号メモリ１２ｂが設けられている。第１のＢｌｕｅｔｏｏｔｈ識別番号メモリ１２ａは、バイブレータの独自のＢｌｕｅｔｏｏｔｈ識別番号を格納するために設けられている。これは既にバイブレータの製造時に工場でメモリ１２ａ内に格納されている。第２のＢｌｕｅｔｏｏｔｈ識別番号メモリ１２ｂは、別のＢｌｕｅｔｏｏｔｈ機器のＢｌｕｅｔｏｏｔｈ識別番号を格納するために設けられている。これによって、Ｂｌｕｅｔｏｏｔｈコミュニケーションが行われる。図示の実施例では、メモリ１２ｂ内に、携帯電話２０のＢｌｕｅｔｏｏｔｈ識別番号が格納されている。これによってバイブレータ１と、Ｂｌｕｅｔｏｏｔｈ接続ＢＴを介して接続される。別のＢｌｕｅｔｏｏｔｈ機器のＢｌｕｅｔｏｏｔｈ識別番号の格納は同じように既に工場側で行われるが、機器の第１のコンタクト形成の枠内で行うこともできる。
【００１４】
別のＢｌｕｅｔｏｏｔｈ機器、殊に携帯電話２０によって、バイブレータ１は遠隔制御可能である。例えば携帯電話から制御命令が送出され、この制御命令はバイブレータの共振器３, ４, ５の振動の強さおよび持続時間に影響を与える。さらに携帯電話２０は、バイブレータに対するプログラムツールとしても使用可能である。これはバイブレータにプログラム命令を伝送する。プログラム命令は、バイブレータ作動プログラムの設定または変更に用いられ、バイブレータの作動プログラムメモリ６内に格納される。
【００１５】
携帯電話２０は、中央制御ユニットとしてマイクロコントローラ２２を有する。これは携帯電話のＢｌｕｅｔｏｏｔｈインターフェース２９と接続されている。さらに、マイクロコントローラ２２は、操作キーボード２３からの入力を受信する。操作キーボードは殊に、バイブレータ１に対する制御命令およびプログラム命令を入力するために設けられている。さらにマイクロコントローラ２２は、マイク２７、スピーカー２８およびメモリ２４ａ, ２４ｂ, ２５, ２６に接続されている。
【００１６】
メモリ２４ａは、携帯電話のＢｌｕｅｔｏｏｔｈ識別番号を格納するのに用いられる。この識別番号は、各携帯電話からＢｌｕｅｔｏｏｔｈインターフェースを介して信号が送信されるときに、元来の信号内容に対して付加的に伝送される。これによってＢｌｕｅｔｏｏｔｈ信号の受信者はＢｌｕｅｔｏｏｔｈ信号の送信者を識別することができる。さらにメモリ２４ｂ内には、バイブレータ１のＢｌｕｅｔｏｏｔｈ識別番号が格納されている。これによって携帯電話も、バイブレータがＢｌｕｅｔｏｏｔｈ接続ＢＴを介して信号を携帯電話に伝送するときに、バイブレータ１の同一性を検査することができる。
【００１７】
携帯電話のメモリ２５は、作動プログラムメモリである。携帯電話のメモリ２６内には、１つまたは複数の認可番号が格納されている。各認可番号は第３の機器を示し、この第３の機器は携帯電話２０と同じように、バイブレータ１に対する遠隔制御信号または遠隔プログラム信号を供給することが許可されている。例えばこのような認可番号は、１つまたは複数の別の携帯電話の電話番号のことである。
【００１８】
このような別の携帯電話は図において、参照番号３０によって示されている。これはアンテナ３１、中央制御ユニット３２、操作キーボード３３、マイク３４、スピーカー３５および作動プログラムメモリ３６を有している。このような別の携帯電話３０は、電話接続Ｔを介して、携帯電話２０の番号を選択することによって携帯電話２０とコンタクトをとることができる。
【００１９】
以下で図示の装置の作動様式をより詳細に説明する。
【００２０】
バイブレータのマイクロコントローラ２は、共振器３, ４, ５の制御を作動プログラムに依存して行う。この作動プログラムは、バイブレータの作動プログラムメモリ６内に格納されている。適切なソフトウェアの形で既にバイブレータの製造者によって作動プログラムメモリ６内に格納されているこのような作動プログラムは、マイクロコントローラ２の制御命令に対する反応として作動プログラムメモリ６から読み出され、共振器の制御に使用される。このような制御命令は、携帯電話２０内で生成され、Ｂｌｕｅｔｏｏｔｈインターフェース２９、無線Ｂｌｕｅｔｏｏｔｈ接続ＢＴおよびバイブレータのＢｌｕｅｔｏｏｔｈインターフェース１０を介してマイクロコントローラ２に供給される。Ｂｌｕｅｔｏｏｔｈ接続ＢＴを介して、無線信号が１０ｍまでの距離を介して伝送される。従って、携帯電話２０とバイブレータ１がこの距離領域内にあるように注意しなければならない。
【００２１】
バイブレータの作動プログラムメモリ６内には、複数のバイブレータ作動プログラムも格納可能である。この複数のバイブレータ作動プログラムから、１つのバイブレータ作動プログラムが、Ｂｌｕｅｔｏｏｔｈ機器２０によって生成された遠隔制御命令によって選択される。種々異なる作動プログラムは例えば、異なる振動の強さ、異なる振動持続時間、マイク８のアクティブ化または非アクティブ化、スピーカー９のアクティブ化または非アクティブ化およびマイクロコントローラ２による所定の遠隔制御信号の自由化または遮断において互に異なっている。
【００２２】
本発明の有利な構成は、第２のＢｌｕｅｔｏｏｔｈ機器２０によって、プログラム信号もＢｌｕｅｔｏｏｔｈ接続ＢＴを介してバイブレータ１に伝送できることである。作動プログラムメモリ６内に格納されるこのようなプログラム信号によって、バイブレータの作動プログラムが設定される、または既存の作動プログラムが変更される。このような作動プログラムの設定または作動プログラムの変更は、対話式ユーザガイドの形で行うことが可能である。ここではマイクロコントローラ２によって生成されたダイアログ信号が携帯電話のディスプレイ上に表示される。
【００２３】
携帯電話２０からＢｌｕｅｔｏｏｔｈ接続ＢＴを介してバイブレータ１に伝送される全ての信号は、元来の信号内容の他に、携帯電話２０のＢｌｕｅｔｏｏｔｈ識別番号も有している。このようなＢｌｕｅｔｏｏｔｈ識別番号に基づいて、マイクロコントローラ２は、受信した信号が、属する携帯電話２０から到来していることを識別し、元来の信号内容を制御信号の形で共振装置３, ４, ５または、これがプログラム命令である場合、作動プログラムメモリ６に転送する。
【００２４】
受信された信号が遠隔制御命令である場合、この遠隔制御信号によって、共振器の振動の強さまたは共振器の振動の持続時間が影響される。さらに受信された信号が、選択命令である場合、この選択命令によって作動プログラムメモリ内に格納されている作動プログラムのうちの１つが選択され、マイクロコントローラ２によって共振器３, ４, ５に対する制御命令に置き換えられる。受信された信号がさらに、上述したように、プログラム命令である場合、この命令はバイブレータ１の作動プログラムメモリ６に供給される。
【００２５】
マイクロコントローラ２はさらに、肯定応答信号ないしは応答信号を供給するのに用いられる。これらの信号は、Ｂｌｕｅｔｏｏｔｈインターフェース１０およびＢｌｕｅｔｏｏｔｈ接続ＢＴを介して、携帯電話に伝送される。このような肯定応答信号ないしは応答信号は、マイク８によって録音された信号、オーディオ信号メモリ７によって格納されている信号またはプログラム対話の目的でまたはバッテリー１１に対する充電状態信号を伝達する目的で、マイクロコントローラ２自身によって生成された信号である。
【００２６】
従って上述の実施形態では、Ｂｌｕｅｔｏｏｔｈインターフェースを有している携帯電話が、同じようにＢｌｕｅｔｏｏｔｈインターフェースが備えられているバイブレータに、双方向Ｂｌｕｅｔｏｏｔｈ接続を介して無線で制御命令および／またはプログラム命令を伝達するために使用される。バイブレータ１にはマイクロコントローラ２が設けられており、このマイクロコントローラは、肯定応答信号ないしは応答信号を携帯電話２０に送り返すことができる。
【００２７】
本発明の有利な実施形態では、バイブレータ１にはさらにオン／オフキー（リセット／スタンバイ）および赤／緑の発光ダイオードが備えられており、バッテリー１１として誘導的充電可能バッテリーが使用される。充電過程が実行されているということは、発光ダイオードの緩慢な赤い点滅で示される。このような充電によって、バイブレータ１はスタンバイモードに切換えられる。オン／オフキーが操作されることによって、バイブレータ１は動作モードにされる。
【００２８】
動作モードへの切換え後、バイブレータ１は９０秒の持続時間のあいだ、他のＢｌｕｅｔｏｏｔｈ機器によって識別可能である。この様な持続時間は、発光ダイオードの迅速な緑の点滅によって示される。この時間の間に、携帯電話２０とバイブレータ１の間の接続が携帯電話で形成される。携帯電話とバイブレータの間の継続的な割り当てを形成するために、携帯電話に、バイブレータの識別番号が入力される。９０秒後、迅速に点滅する緑の発光ダイオードは消える。緑の発光ダイオードが消滅した後、携帯電話とバイブレータは接続状態になる。接続が生じているということは、緑の発光ダイオードの継続的な発光によって示される。
【００２９】
２つの機器間のこのような接続は、常に、識別番号を新たに入力せずに再び形成される。これは、スイッチオン後にバイブレータが携帯電話を自動的に探すことによって行われる。これと択一的に、携帯電話でキーを操作することによって、バイブレータとの接続が形成されてもよい。接続確立のための上述した２つの手段のうちのどちらを用いるか、ユーザが選択できてもよい。
【００３０】
本発明の有利な発展形態では、バイブレータ１に対する遠隔制御信号または遠隔プログラム信号が第３の機器３０内で生成される。有利には第３の機器は別の携帯電話である。これはアンテナ３１、中央制御ユニット３２、操作キーボード３３、マイク３４、スピーカー３５および作動プログラムメモリ３６を有する。
【００３１】
任意の第３の機器３０がバイブレータ１を遠隔制御または遠隔プログラミングできてしまうのを回避するために、携帯電話２０内に識別信号メモリ２６が設けられる。このメモリには、バイブレータ１を遠隔制御または遠隔プログラミングする権限がある、各第３の機器３０に対する識別信号が格納されている。例えば識別信号メモリ２６内に格納されているこの識別信号は、許可された１つまたは複数の第３の機器３０の電話番号である。
【００３２】
携帯電話３０が、携帯電話２０の電話番号に電話すると、２つの携帯電話間で電話接続Ｔが形成される。携帯電話２０は、発呼している携帯電話が権限を有する第３の機器であることを識別する。携帯電話３０によって、電話接続の構築後にバイブレータに対する遠隔制御命令または遠隔プログラム命令が携帯電話２０に伝送されると、命令は携帯電話によって、携帯電話のＢｌｕｅｔｏｏｔｈ識別番号とともにＢｌｕｅｔｏｏｔｈインターフェース２９、Ｂｌｕｅｔｏｏｔｈ接続ＢＴおよびバイブレータのＢｌｕｅｔｏｏｔｈインターフェース１０を介してバイブレータのマイクロコントローラ２に転送される。これはバイブレータにおける信号の所望の処理を引き起こす。
【００３３】
これに対して、携帯電話２０によって受信された信号が、許可されていない送信側から来ている場合、この信号はバイブレータ１に転送されない。
【００３４】
上述の実施形態の利点は、バイブレータの遠隔制御または遠隔プログラミングを任意の場所から行うことができるということである。ここから携帯電話２０への無線または有線接続が確立可能である。携帯電話２０とバイブレータ１との間の空間的な間隔が、使用されているＢｌｕｅｔｏｏｔｈ接続の最大到達距離よりも大きくならないということだけ確実にされなければならない。
【００３５】
本発明の別の有利な発展形態では、バイブレータ１に付加的に温度センサが設けられている。この温度センサはマイクロコントローラ２と接続されている。これによって、女性の月経周期に関するデータが検出および記録可能である。このようなデータは、Ｂｌｕｅｔｏｏｔｈ接続ＢＴを介して携帯電話２０に伝送され、携帯電話２０のディスプレイに表示される。データの伝送は、有利には次のような場合に行われる。すなわち携帯電話のキーボードによって相応の呼び出し命令が入力された場合である。呼び出し命令は、携帯電話のマイクロコントローラ２２、携帯電話のＢｌｕｅｔｏｏｔｈインターフェース２９、Ｂｌｕｅｔｏｏｔｈ接続ＢＴおよびバイブレータ１のＢｌｕｅｔｏｏｔｈインターフェース１０を介して、バイブレータのマイクロコントローラ２に供給される。このような発展形態では、女性の体に関するデータがバイブレータによって検出され、Ｂｌｕｅｔｏｏｔｈ接続を介して、外部のＢｌｕｅｔｏｏｔｈ機器に伝送され、Ｂｌｕｅｔｏｏｔｈ機器のディスプレイに表示される。
【００３６】
本発明の上述の実施形態では、遠隔制御信号または遠隔プログラミング信号用の発生器として携帯電話が使用されている。しかしこれと択一的に、他の電子機器（例えばパーソナルコンピュータ、ノートブック型パーソナルコンピュータ、娯楽電子用品機器に対する遠隔操作器、オーガナイザー、バイブレータの独自のＢｌｕｅｔｏｏｔｈ遠隔操作部等）もバイブレータの遠隔制御または遠隔プログラミングに使用可能である。ここでＤＴＭＦ技術またはＳＭＳ技術またはＤａｔａ−Ｃａｌｌ技術で作動する技術ないしは伝送方法も使用可能である。
【００３７】
ＳＭＳ技術が使用される場合、例えばＳＭＳが到着するとこれは携帯電話からバイブレータに伝えられる。バイブレータはＳＭＳを読み、これを評価し、場合によってはこれを消す。バイブレータを制御するＳＭＳの権限は、ＳＭＳの送信者の呼び出し番号を介してまたはＳＭＳの冒頭のアクセスコードを介して検査される。インターネントまたは外国から来たＳＭＳメッセージは送信者呼び出し番号を有していないので、現在の技術では、アクセスコードを用いた検査が選ばれる。
【００３８】
データ接続が使用される場合、例えば携帯電話でデータ呼び出しを行う場合、これは携帯電話からバイブレータに伝えられる。バイブレータのマイクロコントローラは、呼び出しを受け取るか否かを判断する。呼び出しが受け取られる場合、到着したデータがバイブレータ内で評価される。バイブレータを制御するための権限は、発呼者の呼び出し番号または呼び出し受け取り後のログインプロシージャを介して行われる。
【００３９】
電話接続が使用される場合、携帯電話の電話呼び出しが行われると、これがバイブレータに携帯電話によって伝えられる。バイブレータのマイクロコントローラは、呼を受け取るか否かを判断する。呼が受け取られる場合、到着したデータがバイブレータ内で評価される。バイブレータを制御する権限は、発呼者の呼び出し番号または呼び出し受け取り後のログインプロシージャを介して検査される。データ伝送は、ＤＴＭＦトーンを介して行われる。バイブレータ内でこのようなＤＴＭＦトーンを評価するために、これは付加的なチップを有する。
【００４０】
最後に挙げた実施形態では、図示の実施例とは異なり、バイブレータを制御する権限を検査する手段（殊に識別信号メモリおよび評価ユニット）が、携帯電話２０内にではなく、バイブレータ１自体内に設けられている。
【００４１】
本発明の上述の実施例では、バイブレータ内に３つの共振器が設けられており、これらの共振器の振動方向は相互に垂直である。これに対して択一的に、他の数の共振器を使用することも可能である。他の選択肢では、振動方向が相互に垂直でない共振器が使用される。
【００４２】
まとめると本発明では、バイブレータと直接的にコミュニケーションする機器は、バイブレータと同じようにＢｌｕｅｔｏｏｔｈ機器であり、バイブレータと別のＢｌｕｅｔｏｏｔｈ機器の間にＢｌｕｅｔｏｏｔｈ接続が生じており、場合によって存在する第３の機器はこの別のＢｌｕｅｔｏｏｔｈ機器と無線または有線で接続されているということに注意されたい。
【００４３】
本発明の重要な利点は、バイブレータの広範囲な遠隔制御および／または遠隔プログラミングが廉価に実現できることである。なぜならＢｌｕｅｔｏｏｔｈ規格に従って作動するチップは廉価に市販されているからである。
【図面の簡単な説明】
【００４４】
【図１】本発明を理解するのに必要な、バイブレータの構成部分ないしはバイブレータを遠隔制御する装置の構成部分が示されているブロック回路図である。
【符号の説明】
【００４５】
１  バイブレータ
２  マイクロコントローラ
３  第１の共振器
４  第２の共振器
５  第３の共振器
６  作動プログラムメモリ
７  オーディオ信号メモリ
８  マイク
９  スピーカー
１０  Ｂｌｕｅｔｏｏｔｈインターフェース
１１  バッテリー
１２ａ  Ｂｌｕｅｔｏｏｔｈ識別番号メモリ
１２ｂ  Ｂｌｕｅｔｏｏｔｈ識別番号メモリ
２０  第１の携帯電話
２１  アンテナ
２２  マイクロコントローラ
２３  キーボード
２４ａ  Ｂｌｕｅｔｏｏｔｈ識別番号メモリ
２４ｂ  Ｂｌｕｅｔｏｏｔｈ識別番号メモリ
２５  作動プログラムメモリ
２６  識別信号メモリ
２７  マイク
２８  スピーカー
２９  Ｂｌｕｅｔｏｏｔｈインターフェース
３０  第２の携帯電話
３１  アンテナ
３２  マイクロコントローラ
３３  キーボード
３４  マイク
３５  スピーカー
３６  作動プログラムメモリ
ＢＴ  Ｂｌｕｅｔｏｏｔｈ接続
Ｔ  電話接続
【図１】
2005515028.tif 000003
【国際調査報告】
2005515028.tif 000004
2005515028.tif 000005
2005515028.tif 000006
2005515028.tif 000007
2005515028.tif 000008
2005515028.tif 000009